(57)【特許請求の範囲】
【請求項１】
人体局部を洗浄するための洗浄手段と、
それぞれ前記洗浄手段に連通した第１の流路、第２の流路、及び第３の流路と、
人体局部を洗浄する洗浄水が貯えられる洗浄水タンクと、
前記洗浄水タンクに連通した洗浄水供給流路と、
前記第１の流路に連通する第１連通部、前記第２の流路に連通する第２連通部、前記第３の流路に連通する第３連通部、及び大気に連通するドレンポートが形成された固定プレートと、該固定プレートに対して回転可能に取り付けられ前記洗浄水タンクから供給される洗浄水が流動するスリット部及び前記第１連通部と前記ドレンポートとを連通可能並びに前記第３連通部と前記ドレンポートとを連通可能な連通窓部が形成された回転プレートとを備えた流路切替手段と、
前記スリット部と前記第１連通部とを対面させて洗浄水を前記第１連通部に流動させる第１の状態、前記スリット部と前記第２連通部とを対面させて洗浄水を前記第２連通部に流動させる第２の状態、前記スリット部と前記第３連通部とを対面させて洗浄水を前記第３連通部に流動させる第３の状態、前記連通窓部により前記第１連通部と前記ドレンポートとを連通させた第４の状態、及び前記連通窓部により前記第３連通部と前記ドレンポートとを連通させた第５の状態を、選択的に取り得るように前記回転プレートの回転を制御する制御手段と
を備え、
前記固定プレートには、第１バイパス流路により前記第１連通部に連通した第４連通部が形成され、前記第２の状態において前記スリット部と前記第４連通部とが対面することを特徴とする人体局部洗浄装置。
【請求項２】
人体局部を洗浄するための洗浄手段と、
それぞれ前記洗浄手段に連通した第１の流路、第２の流路、及び第３の流路と、
人体局部を洗浄する洗浄水が貯えられる洗浄水タンクと、
前記洗浄水タンクに連通した洗浄水供給流路と、
前記第１の流路に連通する第１連通部、前記第２の流路に連通する第２連通部、前記第３の流路に連通する第３連通部、及び大気に連通するドレンポートが形成された固定プレートと、該固定プレートに対して回転可能に取り付けられ前記洗浄水タンクから供給される洗浄水が流動するスリット部及び前記第１連通部と前記ドレンポートとを連通可能並びに前記第３連通部と前記ドレンポートとを連通可能な連通窓部が形成された回転プレートとを備えた流路切替手段と、
前記スリット部と前記第１連通部とを対面させて洗浄水を前記第１連通部に流動させる第１の状態、前記スリット部と前記第２連通部とを対面させて洗浄水を前記第２連通部に流動させる第２の状態、前記スリット部と前記第３連通部とを対面させて洗浄水を前記第３連通部に流動させる第３の状態、前記連通窓部により前記第１連通部と前記ドレンポートとを連通させた第４の状態、及び前記連通窓部により前記第３連通部と前記ドレンポートとを連通させた第５の状態を、選択的に取り得るように前記回転プレートの回転を制御する制御手段と
を備え、
前記連通窓部は第１連通窓部と第２連通窓部を備え、前記第４の状態において前記第１連通窓部により前記第１連通部と前記ドレンポートが連通され、前記第５の状態において前記第２連通窓部により前記第３連通部と前記ドレンポートとが連通し、
前記固定プレートには連通孔が形成されているとともに前記ドレンポートは第１ドレンポートと第２ドレンポートを備え、前記連通孔は第２バイパス流路により前記第２ドレンポートと連通されてなり、前記第４の状態において前記第１連通窓部により前記第１連通部と前記第１ドレンポートが連通するとともに前記連通孔と前記スリット部とが対面し、前記第５の状態において前記第２連通窓部により前記第３連通部と前記第１ドレンポートが連通するとともに前記スリット部と前記第２ドレンポートとが対面することを特徴とする人体局部洗浄装置。
【請求項３】
前記第１連通部は、前記第１の流路に連通する第１出口ポートと、前記第１の状態において前記回転プレートの回転に伴い前記第１の流路を流動する洗浄水の流量を変化させる第１流量調節部を備え、
前記第２連通部は、前記第２の流路に連通する第２出口ポートと、前記第２の状態において前記回転プレートの回転に伴い前記第２の流路を流動する洗浄水の流量を変化させる第２流量調節部を備え、
前記第３連通部は、前記第３の流路に連通する第３出口ポートと、前記第３の状態において前記回転プレートの回転に伴い前記第３の流路を流動する洗浄水の流量を変化させる第３流量調節部とを備え、
前記第４連通部は、前記第１バイパス流路に連通する第４出口ポートと、前記第２の状態において前記回転プレートの回転に伴い前記第１バイパス流路を流動する洗浄水の流量を変化させる第４流量調節部とを備え、
前記第１流量調節部は、前記第１出口ポートから前記回転プレートの回転方向に沿って遠ざかるに従いその断面積が小さくされた第１流量調節溝であり、
前記第２流量調節部は、前記第２出口ポートから前記回転プレートの回転方向に沿って遠ざかるに従いその断面積が小さくされた第２流量調節溝であり、
前記第３流量調節部は、前記第３出口ポートから前記回転プレートの回転方向に沿って遠ざかるに従いその断面積が小さくされた第３流量調節溝であり、
前記第４流量調節部は、前記第４出口ポートから前記回転プレートの回転方向に沿って遠ざかるに従いその断面積が小さくされた第４流量調節溝であることを特徴とする請求項１又は２のいずれかに記載の人体局部洗浄装置。
【発明の詳細な説明】
【０００１】
【発明の属する技術分野】
本発明は人体局部洗浄装置に関し、特に、洗浄手段への水路の切替構造に係るものである。
【０００２】
【従来の技術】
従来の人体局部洗浄装置に使用する洗浄ノズルの構造として、特開平６−８８３７０に示されるような洗浄ノズルが公知である。これは、図８に示すように、洗浄水タンク１０１に連通し人体の肛門を洗浄するための肛門洗浄用主流路１１１及び肛門洗浄用副流路１１２と、肛門洗浄用主流路１１１に連通する肛門洗浄用主ノズル孔１０２及び肛門洗浄用副流路１１２に連通する肛門洗浄用副ノズル孔１０３を設けた肛門洗浄ノズル体１０４と、肛門洗浄用副流路１１２を開閉制御する開閉弁１０５を備えた洗浄ノズルであり、開閉弁１０５を閉成すると洗浄水は肛門洗浄用主流路１１１のみを流れて肛門肛門洗浄用主ノズル孔１０２からのみ洗浄水が噴出し、集中的な強い体感が得られる洗浄パターンと、開閉弁１０５を閉成すると洗浄水は肛門洗浄用主流路１１１及び肛門洗浄用副流路１１２を流れて肛門洗浄用主ノズル孔１０２、副ノズル孔１０３の両方から洗浄水が噴出し、分散的でやさしい体感が得られる洗浄パターンが好みに応じて選択できるものである。
【０００３】
【発明が解決しようとする課題】
上記した従来技術のような、洗浄ノズルに２流路（主流路及び副流路）が構成された場合に加え、女性局部を洗浄するビデ洗浄ノズルを設けようとすると、ビデ洗浄用の流路も構成しなければならず、計３流路が必要である。つまり、洗浄水タンクから洗浄水が供給される供給路を上記３流路に選択的に連通させる流路切替手段が必要となる。このような３流路に切替える流路切替手段としては、たとえば２枚の回転プレート及び固定プレートで構成されるロータリバルブが考えられるが、可動プレートが２枚あることから、流路切替手段が大型化してしまうとともに、部品点数が増加してコストアップを招来するという問題がある。
【０００４】
また、上記した従来技術に限らず、肛門洗浄用主流路のみで構成された洗浄ノズルにおいても、洗浄停止時に、流路内の圧力によってノズルの動作（例えば洗浄停止後にノズルがシリンダ内に戻る動作）に悪影響を与えたり、また、ノズルがシリンダ内に戻る際に流路内の残圧により残留洗浄水がノズル孔から吹出して使用者に不快感を与えてしまうという問題がある。
【０００５】
故に、本発明は、上記実情に鑑みなされたものであり、人体局部洗浄装置において、洗浄水の供給路と上記各流路との連通を切替える流路切替手段をコンパクトに構成するとともに、洗浄後の各流路内の残圧を除去可能として使用者に不快感を与えない構成とすることを技術的課題とするものである。
【０００６】
【課題を解決するための手段】
上記技術的課題を解決するためになされた請求項１の発明は、人体局部を洗浄するための洗浄手段と、それぞれ前記洗浄手段に連通した第１の流路、第２の流路、及び第３の流路と、人体局部を洗浄する洗浄水が貯えられる洗浄水タンクと、前記洗浄水タンクに連通した洗浄水供給流路と、前記第１の流路に連通する第１連通部、前記第２の流路に連通する第２連通部、前記第３の流路に連通する第３連通部、及び大気に連通するドレンポートが形成された固定プレートと、該固定プレートに対して回転可能に取り付けられ前記洗浄水タンクから供給される洗浄水が流動するスリット部及び前記第１連通部と前記ドレンポートとを連通可能並びに前記第３連通部と前記ドレンポートとを連通可能な連通窓部が形成された回転プレートとを備えた流路切替手段と、前記スリット部と前記第１連通部とを対面させて洗浄水を前記第１連通部に流動させる第１の状態、前記スリット部と前記第２連通部とを対面させて洗浄水を前記第２連通部に流動させる第２の状態、前記スリット部と前記第３連通部とを対面させて洗浄水を前記第３連通部に流動させる第３の状態、前記連通窓部により前記第１連通部と前記ドレンポートとを連通させた第４の状態、及び前記連通窓部により前記第３連通部と前記ドレンポートとを連通させた第５の状態を、選択的に取り得るように前記回転プレートの回転を制御する制御手段とを備え、前記固定プレートには、第１バイパス流路により前記第１連通部に連通した第４連通部が形成され、前記第２の状態において前記スリット部と前記第４連通部とが対面することを特徴とする人体局部洗浄装置としたことである。
【０００７】
上記発明によれば、人体局部洗浄装置は、人体局部を洗浄するための洗浄ノズルなどの洗浄手段と、それぞれが洗浄手段に連通した第１の流路、第２の流路、第３の流路と、人体局部を洗浄する洗浄水が貯えられる洗浄水タンクと、固定プレート及び該固定プレートに対して回転可能に取り付けられた１枚の回転プレートを有する流路切替手段と、回転プレートの回転を制御する制御手段とを具備する。また、固定プレートは、第１の流路に連通する第１連通部、第２の流路に連通する第２連通部、第３の流路に連通する第３連通部、及び大気に連通するドレンポートが形成されており、回転プレートは、洗浄水タンクから供給される洗浄水が流動するスリット部及び、第１連通部とドレンポートとを連通可能並びに第３連通部とドレンポートとを連通可能な連通窓部が形成されている。そして、制御手段は、スリット部と第１連通部とを対面させてスリット部を流動する洗浄水を第１連通部に流動させる第１の状態、スリット部と第２連通部とを対面させて洗浄水を第２連通部に流動させる第２の状態、スリット部と第３連通部とを対面させて洗浄水を第３連通部に流動させる第３の状態、連通窓部により第１連通部とドレンポートとを連通させた第４の状態、連通窓部により第３連通部とドレンポートとを連通させた第５の状態とを選択的に取り得るように回転プレートの回転を制御するものである。
【０００８】
本発明は、上記構成のため、例えば第１の流路を肛門洗浄用ノズルへの主流路、第２の流路を肛門洗浄用ノズルへの副流路、第３の流路をビデ用ノズルへのビデ流路とすると、第１の状態では、洗浄水タンクから供給され回転プレートのスリット部を流動する洗浄水は、該スリット部と対面した固定プレートの第１連通部に流動し、この第１連通部から該第１連通部に連通した第１の流路、即ち肛門洗浄用ノズルへの主流路に流動する。これにより主流路から人体の肛門への洗浄が可能となるものである。また、第２の状態では、洗浄水は、スリット部から該スリット部と対面した固定プレートの第２連通部に流動し、この第２連通部から該第２連通部に連通した第２の流路、即ち肛門洗浄用ノズルへの副流路に流動する。これにより副流路から人体の肛門への洗浄が可能となるものである。また、第３の状態では、洗浄水は、スリット部から該スリット部と対面した固定プレートの第３連通部に流動し、この第３連通部から該第３連通部に連通した第３の流路、即ちビデ用ノズルへのビデ流路に流動する。これによりビデ流路からの女性局部への洗浄が可能となるものである。
【０００９】
このように、本発明では、１枚の回転プレートで３流路の切替が可能となるものである。
【００１０】
また、第４の状態では、回転プレートに形成された連通窓部により固定プレートの第１連通部とドレンポートとが連通される。このため、第１連通部に連通した第１の流路内の残留水が連通窓部を経てドレンポートに流れ、さらにドレンポートから大気に排出されるものである。従って、第１流路内の水圧は、ドレンポートから残留水が排出されることにより減少し、第１流路内の残留洗浄水の水圧により洗浄ノズル等の動作に悪影響を与えたり、ノズルから残留水が噴出することを防止することができるものである。
【００１１】
また、第５の状態では、回転プレートに形成された連通窓部により固定プレートの第３連通部とドレンポートとが連通される。このため、第３連通部に連通した第３の流路内の残留水が連通窓部を経てドレンポートに流れ、さらにドレンポートから大気に排出されるものである。従って、第３の流路内の水圧は、ドレンポートから残留水が排出されることにより減少し、第３の流路内の残留洗浄水の水圧により洗浄ノズル等の動作に悪影響を与えたり、ノズルから残留水が噴出することを防止することができるものである。
【００１２】
以上のように、請求項１の発明によれば、１枚の回転プレートを使用するのみで、第１の流路、第２の流路、第３の流路への流路の切替を可能としているので、回転プレートが複数枚必要となることはなく、流路切替手段をコンパクトに構成することができるものである。また、第１の流路内及び第３の流路内の残留水がドレンポートから大気に排出されるので、これらの流路内の残留洗浄水の水圧を減少させることができ、流路内残圧による洗浄ノズルの動作への悪影響、ノズルからの残留水の噴出等の不具合を防止することができるものである。
【００１４】
また、上記請求項１の発明によれば、固定プレートには、第２の状態において回転スリットと対面する第４連通部が形成されている。また、第４連通部は第１バイパス流路により第１連通部に連通しているものである。
【００１５】
このため、第２の状態では、洗浄水タンクから供給され回転プレートのスリット部を流動する洗浄水は、スリット部から該スリット部と対面した固定プレートの第２連通部及び第４連通部に流動する。さらに洗浄水は第２連通部から該第２連通部に連通した第２の流路に流動する。また、第４連通部は第１バイパス流路により第１連通部に連通しており、第１連通部は第１の流路に連通しているので、第４連通部に流動した洗浄水は第１の流路にも流動する。この場合、例えば第１の流路を肛門洗浄用ノズルへの主流路と、第２の流路を肛門洗浄用ノズルへの副流路とすると、第２の状態では、肛門洗浄用ノズルの主流路及び副流路のいずれからも洗浄水が噴出する。これは、肛門洗浄用ノズルの主流路のみから洗浄水が噴出する場合と比較して、副流路からも洗浄水が噴出するので、洗浄水の噴出面積が増加して分散的でやさしい体感が得られる洗浄パターンとすることができるものである。
【００１６】
従って、第１の状態では洗浄水が主流路のみから噴出する比較的勢いの強い集中洗浄を、第２の状態では洗浄水が主流路及び副流路の両方から噴出する比較的ソフトな分散洗浄を行うことができ、制御手段によってこれらの洗浄パターンを切替えることが可能となるものである。
【００１７】
上記技術的課題を解決するためになされた請求項２の発明は、人体局部を洗浄するための洗浄手段と、それぞれ前記洗浄手段に連通した第１の流路、第２の流路、及び第３の流路と、人体局部を洗浄する洗浄水が貯えられる洗浄水タンクと、前記洗浄水タンクに連通した洗浄水供給流路と、前記第１の流路に連通する第１連通部、前記第２の流路に連通する第２連通部、前記第３の流路に連通する第３連通部、及び大気に連通するドレンポートが形成された固定プレートと、該固定プレートに対して回転可能に取り付けられ前記洗浄水タンクから供給される洗浄水が流動するスリット部及び前記第１連通部と前記ドレンポートとを連通可能並びに前記第３連通部と前記ドレンポートとを連通可能な連通窓部が形成された回転プレートとを備えた流路切替手段と、前記スリット部と前記第１連通部とを対面させて洗浄水を前記第１連通部に流動させる第１の状態、前記スリット部と前記第２連通部とを対面させて洗浄水を前記第２連通部に流動させる第２の状態、前記スリット部と前記第３連通部とを対面させて洗浄水を前記第３連通部に流動させる第３の状態、前記連通窓部により前記第１連通部と前記ドレンポートとを連通させた第４の状態、及び前記連通窓部により前記第３連通部と前記ドレンポートとを連通させた第５の状態を、選択的に取り得るように前記回転プレートの回転を制御する制御手段とを備え、前記連通窓部は第１連通窓部と第２連通窓部を備え、前記第４の状態において前記第１連通窓部により前記第１連通部と前記ドレンポートが連通され、前記第５の状態において前記第２連通窓部により前記第３連通部と前記ドレンポートとが連通し、前記固定プレートには連通孔が形成されているとともに前記ドレンポートは第１ドレンポートと第２ドレンポートを備え、前記連通孔は第２バイパス流路により前記第２ドレンポートと連通されてなり、前記第４の状態において前記第１連通窓部により前記第１連通部と前記第１ドレンポートが連通するとともに前記連通孔と前記スリット部とが対面し、前記第５の状態において前記第２連通窓部により前記第３連通部と前記第１ドレンポートが連通するとともに前記スリット部と前記第２ドレンポートとが対面することを特徴とする人体局部洗浄装置としたことである。
【００１８】
上記請求項２の発明によれば、連通窓部は第１連通窓部と第２連通窓部とを備える。第１連通窓部は、第４の状態において第１連通部とドレンポートとを連通するものである。第２連通窓部は、第５の状態において第３連通部とドレンポートとを連通するものである。
【００１９】
このように、連通窓部を複数設け、第４の状態において使用する連通窓部と第５の状態において使用する連通窓部とを異なったものとしてあるので、各洗浄状態（第１の状態、第２の状態、第３の状態）から各ドレン状態（第４の状態、第５の状態）とする際に、使用していない流路にドレン水が漏れる等の不具合を防止することができるものである。
【００２１】
また、上記請求項２の発明によれば、固定プレートには連通孔が形成されている。またドレンポートは第１ドレンポートと第２ドレンポートとを備える。そして、連通孔は第２バイパス流路により第２ドレンポートと連通されているものである。また、第４の状態においては、第１連通部は第１連通窓部により第１ドレンポートと連通されるとともに、連通孔と回転プレートのスリット部とが対面する。第５の状態においては、第３連通部は第２連通窓部により第１ドレンポートと連通されるとともに、第２ドレンポートとスリット部とが対面するものである。
【００２２】
本発明は、上記構成のため、第４の状態においては、第１連通部と第１ドレンポートとが第１連通窓部により連通する。これにより、第１連通部に連通した第１の流路内の残圧及び洗浄水を第１ドレンポートから排出することができる。これに加え、第４の状態において、回転プレートのスリット部は固定プレートに形成された連通孔に対面している。この連通孔は大気に連通した第２ドレンポートに第２バイパス流路で連通しているので、スリット部は、連通孔、第２バイパス流路、第２ドレンポート及び大気に連通することとなる。従って、スリット部に連通している洗浄水タンク側からの洗浄水の残圧及び残留水が、スリット部から連通孔、第２バイパス流路、第２ドレンポートを経て大気へと排出されるものである。
【００２３】
また、第５の状態においては、第３連通部と第１ドレンポートとが第２連通窓部により連通する。これにより、第３連通部に連通した第３の流路内の残圧及び洗浄水を第１ドレンポートから排出することができる。これに加え、第５の状態において、回転プレートのスリット部は第２ドレンポートに対面している。従って、スリット部に連通している洗浄水タンク側からの洗浄水の残圧及び残留水が、スリット部から第２ドレンポートを経て大気へと排出されるものである。
【００２４】
このように、本発明によれば、簡単な構成で、洗浄手段側の残圧及び残留洗浄水のみならず、洗浄タンク側の残圧及び残留洗浄水も排出する構成を実現できるものである。
【００２５】
また、請求項３の発明は、前記第１連通部は、前記第１の流路に連通する第１出口ポートと、前記第１の状態において前記回転プレートの回転に伴い前記第１の流路を流動する洗浄水の流量を変化させる第１流量調節部を備え、前記第２連通部は、前記第２の流路に連通する第２出口ポートと、前記第２の状態において前記回転プレートの回転に伴い前記第２の流路を流動する洗浄水の流量を変化させる第２流量調節部を備え、前記第３連通部は、前記第３の流路に連通する第３出口ポートと、前記第３の状態において前記回転プレートの回転に伴い前記第３の流路を流動する洗浄水の流量を変化させる第３流量調節部とを備え、前記第４連通部は、前記第１バイパス流路に連通する第４出口ポートと、前記第２の状態において前記回転プレートの回転に伴い前記第１バイパス流路を流動する洗浄水の流量を変化させる第４流量調節部とを備え、前記第１流量調節部は、前記第１出口ポートから前記回転プレートの回転方向に沿って遠ざかるに従いその断面積が小さくされた第１流量調節溝であり、前記第２流量調節部は、前記第２出口ポートから前記回転プレートの回転方向に沿って遠ざかるに従いその断面積が小さくされた第２流量調節溝であり、前記第３流量調節部は、前記第３出口ポートから前記回転プレートの回転方向に沿って遠ざかるに従いその断面積が小さくされた第３流量調節溝であり、前記第４流量調節部は、前記第４出口ポートから前記回転プレートの回転方向に沿って遠ざかるに従いその断面積が小さくされた第４流量調節溝であることを特徴とする人体局部洗浄装置としたことである。
【００２６】
上記請求項３の発明によれば、各連通部（第１連通部、第２連通部、第３連通部、第４連通部）は、各流路（第１の流路、第２の流路、第３の流路、第１バイパス流路）に連通する各出口ポート（第１出口ポート、第２出口ポート、第３出口ポート、第４出口ポート）及び、各状態（第１の状態、第２の状態、第３の状態、第２の状態）において回転プレートの回転に伴い各流路（第１の流路、第２の流路、第３の流路、第１バイパス流路）を流動する洗浄水の流量を変化させる各流量調節部（第１流量調節部、第２流量調節部、第３流量調節部、第４流量調節部）を備えるものである。
【００２７】
このため、各状態（第１の状態、第２の状態、第３の状態、第２の状態）において、回転プレートを回転させることにより各流路（第１の流路、第２の流路、第３の流路、第１バイパス流路）を流動する洗浄水の流量を変化させることができるものである。
【００２８】
従って、第１、第２、第３の各状態において回転プレートを回転させることにより洗浄水の流量が調節可能となり、使用者の好みに応じた洗浄を行うことができるものである。
【００２９】
また、各流量調節部（第１流量調節部、第２流量調節部、第３流量調節部、第４流量調節部）は、固定プレートに形成され、各出口ポート（第１出口ポート、第２出口ポート、第３出口ポート、第４出口ポート）から回転プレートの回転方向に沿って遠ざかるに従いその断面積が小さくされた各流量調節溝（第１流量調節溝、第２流量調節溝、第３流量調節溝、第４流量調節溝）とされる。
【００３０】
従って、使用者が、各洗浄状態（第１の状態、第２の状態、第３の状態、第２の状態）において、回転プレートを回転させると、スリット部と対面する各流量調節溝（第１流量調節溝、第２流量調節溝、第３流量調節溝、第４流量調節溝）の断面積が、該回転スリットの回転量により変化する。この断面積の変化は、各出口ポート（第１出口ポート、第２出口ポート、第３出口ポート、第４出口ポート）から回転プレートの回転方向に沿って遠ざかるに従い小さくされているので、回転プレートの回転量に比例してその断面積が小さくなる。即ち、回転プレートの回転量に比例して各流量調節溝を流動する洗浄水の流路断面積が小さくなる。つまり、回転プレートの回転量に比例して各流路（第１の流路、第２の流路、第３の流路、第１バイパス流路）を流動する洗浄水の流量が小さくなるものである。このため、洗浄手段からの洗浄水の噴出を停止させようとした場合、第１、第２、第３の各状態から回転プレートを回転させることにより洗浄水がフェードアウトして（噴出量が徐々に減少して）洗浄水の噴出を停止させることができる。このように洗浄水をフェードアウトした後、各ドレン状態（第４の状態、第５の状態）として、残留水を除去するものである。
【００３１】
人体局部洗浄装置において、洗浄水が洗浄ノズルなどの洗浄手段から噴出して人体局部を洗浄可能な洗浄状態（第１の状態、第２の状態、第３の状態）から流路内の洗浄水をドレンとして排水するドレン状態（第４の状態、第５の状態）に移行させる際に、洗浄水の流量を大きくさせてしまうと、洗浄手段からの洗浄水の噴出が停止する直前では洗浄水の流量が極めて大きくなり、人体局部に強烈に洗浄水が噴出して使用者に不快感を与えてしまう。また、洗浄状態からドレン状態に移行させる際に、洗浄水の流量を一定とすると、洗浄水の流量を調節する流量調節機能を果たすことができない。これに対し、本発明は、洗浄状態からドレン状態に移行する際に、洗浄水の流量を小さくさせ、フェードアウトした状態でドレン状態とするので、洗浄手段からの洗浄水の噴出が停止する直前でも洗浄水が強烈に噴出することもなく、使用者に不快感を与えることもないとともに、洗浄状態において洗浄水の流量も調節できるものである。さらに、本発明は、複数の流路を備えた人体局部洗浄装置において、上記のフェードアウト機能及び流量調節機能を、１枚の固定プレートを巧みに利用することによりよりコンパクトに実現することを可能としたものである。
【００３２】
また、各流量調節部を、上記説明の構造の各流量調節溝で形成することにより、より簡素な構成で各流路（第１の流路、第２の流路、第３の流路、第１バイパス流路）を流動する洗浄水の流量を調節することができるものである。
【００３５】
【実施の形態】
以下、本発明を実施の形態により具体的に説明する。
【００３６】
図１は、本例における人体局部洗浄装置の全体斜視図である。図において、人体局部洗浄装置１は、便器２と、水洗水が貯えられた水洗タンク３と、便器２の上部に載置された本体４とを主な構成とするものである。
【００３７】
本体４は、便器２の上部外周に該便器２を後側から取り巻くように載置されており、全閉状態において便器２の上面を覆う便座４１、全閉状態（図示せず）において便座４１の上部を覆う便蓋４２、及び、便器２の使用時に種々の機能を実行するための機能部４３を内部に収容した本体ケース４４と、本体ケース４４の上部表面に設置され使用者の操作により種々の機能が選択可能とされた操作パネル４５、便座４１の下部に突出し人体局部を洗浄する洗浄手段としての肛門洗浄ノズル装置４６、同じく便座４１の下部に突出し女性局部を洗浄するビデ洗浄ノズル装置４７を備えるものである。便座４１及び便蓋４２は、夫々の基端辺に図示せぬ回動軸が一体に取り付けられており、これらの回動軸は本体ケースに形成された軸孔により回動可能に軸支されている。従って、便座及び便蓋は、上記軸孔に対して回動して開閉可能であり、この回動に伴いそれぞれの回動軸も回動する構造である。
【００３８】
図２は、内部の機能部４３が示された本体４の図である。図において、本体４は、前述したように、便座４１、便蓋４２、機能部４３、該機能部４３を内部に収容した本体ケース４４、肛門洗浄ノズル装置４６、ビデ洗浄ノズル装置４７を備えるものである。機能部４３は、図１に示す操作パネル４５の下部に配設され該操作パネル４５に配列した操作ボタンが押圧されたことを検知するスイッチ基板４３１、該スイッチ基板４３１の下部に取り付けられマイクロコンピュータ等の制御手段よりなるコントロール基板４３２、該コントロール基板４３２の下部に配置し肛門洗浄ノズル装置４６やビデ洗浄ノズル装置４７に供給する洗浄水を貯える洗浄水タンク４３３、洗浄ノズル装置４６、４７の横部に配設され局部乾燥時に温風を供給するための温風ファン４３４、温風ファン４３４の隣りに配設され便器使用時の脱臭を行うための脱臭ファン４３５、脱臭ファン４３５の隣りに配設されトイレ室の暖房を行うための部屋暖房ファン４３６、等の、各種機能を実行するための要素が設置されている他、洗浄ノズル装置４６、４７に対して温風ファン４３４とは反対側の横部には、便座の開閉状態を検知する便座開閉検知手段及び便蓋の開閉状態を検知する便蓋開閉検知手段が収納された検知ユニット４３７が、肛門洗浄ノズル装置４６及びビデ洗浄ノズル装置４７の図示上方には、これらのノズル装置４６、４７への洗浄水の流路（洗浄水流路）と洗浄水タンク４３３との連通を選択的に切替えてそれぞれのノズル装置４６、４７に洗浄水を選択的に供給したり、洗浄水流路と洗浄水タンク４３３とが連通してノズル装置４６、４７から洗浄水が噴出可能な洗浄状態と、洗浄水流路と後述の大気に連通するドレン流路とが連通して洗浄水流路内の洗浄水を大気へ排出可能なドレン状態とを選択的に切替えるための流路切替手段としてのロータリバルブ４３８が配設されている。また、便座４１の内部には、静電容量式物体検知センサ４８が埋設されている。この静電容量式物体検知センサ４８は、便座４１の上部に物体が配置されたときの静電容量の変化を検知し、この静電容量の変化量で便座上部の物体を検知するものである。
【００３９】
図３は、本例における人体局部洗浄装置１において、ロータリバルブ４３８、肛門洗浄ノズル装置４６、ビデ洗浄ノズル装置４７の部分断面及びこれらの接続構成を示す図である。図に示すように、肛門洗浄ノズル装置４６は、その先端部に肛門洗浄主ノズル孔４６１と肛門洗浄副ノズル孔４６２を備えた伸縮可能な肛門洗浄用可動ノズル４６３と、肛門洗浄用可動ノズル４６３を内部に収納又は内部から突出可能に構成された肛門洗浄用シリンダ４６４とを主構成とするものである。肛門洗浄用シリンダ４６４には、その側部に形成された副流路用入口４６５及びその後部（図示左側部）に形成される主流路用入口４６６を備える。主流路用入口４６６には、該主ノズル用入口４６６からシリンダ４６４に入り肛門洗浄用主ノズル孔４６１に連通する第１の流路としての肛門洗浄用主流路５１が連通されている。副流路用入口４６５には、該副流路用入口４６５からシリンダ４６４に入り肛門洗浄用副ノズル孔４６２に連通する第２の流路としての肛門洗浄用副流路５２が連通されている。ビデ洗浄用ノズル装置４７は、その先端部にビデ洗浄ノズル孔４７１を備えた伸縮可能なビデ洗浄用可動ノズル４７２と、ビデ洗浄用可動ノズル４７２を内部に収納又は内部から突出可能に構成されたビデ洗浄用シリンダ４７３を主構成とするものである。ビデ洗浄用シリンダ４７３には、その後部（図示左側部）にビデ流路用入口４７４が形成され、このビデ流路用入口４７４には該ビデ流路用入口４７４からシリンダ４７３内に入りビデ洗浄ノズル孔４７１に連通するビデ洗浄用流路６１が連通しているものである。
【００４０】
ロータリバルブ４３８は、固定プレート７１と、回転プレート７２と、シールパッキン７３と、これらを内部に収容するケース７４と、回転プレート７２を回転させるためのモータ７５とを有する。また、モータ７５は、該モータ７５の駆動を制御する制御手段としてのマイクロコンピュータ８に電気的に接続されている。このマイクロコンピュータ８は、コントロール基板４３２に配置しており、モータ７５の駆動を制御することにより回転プレート７２の回転を制御するものである。
【００４１】
固定プレート７１は、ケース７４内に固定されて配設されており、回転プレート７２は、ケース７４内で固定プレート７１に対面するとともに面接触するようにされ、回転可能に配設されている。シールパッキン７３は、ロータリバルブ４３８内の液洩れを防ぐためにゴム性の材質で形成されており、その一面は固定プレート７１の回転プレート７２が対面する側と反対側の面に、その他面はケース７４の内壁に密着している。また、ケース７４には、洗浄水タンク４３３からの洗浄水が供給される洗浄水供給口７４１と、肛門洗浄用主流路５１に連通した主流路用洗浄水排出口７４２と、肛門洗浄用副流路５２に連通した副流路用洗浄水排出口７４３と、ビデ洗浄用流路６１に連通したビデ用洗浄水排出口７４４が形成されている。尚、洗浄水タンク４３３と洗浄水供給口７４１とは洗浄水供給流路９１により連通されているものである。
【００４２】
図４は、図３におけるロータリバルブ４３８を矢印Ａ方向から見た場合の部分断面図である。図３及び図４に示すように、ケース内７４には、第１連絡流路７４ａ、第２連絡流路７４ｂ、第３連絡流路７４ｃ、第１ドレン流路７４ｄ、第２ドレン流路７４ｅ、第１バイパス流路７４ｆ、及び、図３、図４では図示しない第２バイパス流路７４ｇが形成されている。第１連絡流路７４ａは主流路用洗浄水排出口７４２に開口し、この主流路用洗浄水排出口７４２から肛門洗浄用主流路５１に連通している。第２連絡流路７４ｂは副流路用洗浄水排出口７４３に開口し、この副流路用洗浄水排出口７４３から肛門洗浄用副流路５２に連通している。第３連絡流路７４ｃはビデ用洗浄水排出口７４４に開口し、このビデ用洗浄水排出口７４４からビデ洗浄用流路６１に連通している。第１ドレン流路７４ｄはケース表面に形成された第１ドレン排出口７４５ａに開口し、この排出口７４５ａから大気に開放されているものである。同様に、第２ドレン流路７４ｅはケース表面に形成された第２ドレン排出口７４５ｂに開校し、この排出口から大気に開放されているものである。尚、上記第１連絡流路７４ａ、第２連絡流路７４ｂ、第３連絡流路７４ｃ、第１及び第２ドレン流路７４ｄ及び７４ｅは、シールパッキン７３が当接している側のケース内壁に開口部を持つものである。また、第１バイパス流路７４ｆ及び第２バイパス流路７４ｇは、それぞれ溝状にケース内壁（シールパッキン７３が当接している側のケース内壁）に形成されているものである。
【００４３】
図５は、図４におけるＢ−Ｂ断面図であり、ケース７４の内壁面を示すものである。図において、ケース７４の内壁面には第１バイパス流路７４ｆと、第２バイパス流路７４ｇが形成されている。また、７４ａ’、７４ｂ’、７４ｃ’、７４ｄ’、７４ｅ’は、それぞれ第１連絡流路７４ａ、第２連絡流路７４ｂ、第３連絡流路７４ｃ、第１ドレン流路７４ｄ、第２ドレン流路７４ｅのケース内壁面における開口部である。図より明らかなように、第１バイパス流路７４ｆの一端は、第１連絡流路７４ａの開口部７４ａ’に連通している。また、第２バイパス流路７４ｇの一端は、第２ドレン流路７４ｅの開口部７４e’に連通しているものである。
【００４４】
図６は、各プレート７１、７２を示す図であり、図６（ａ）は回転プレート７２、図６（ｂ）は固定プレート７１である。
【００４５】
図６（ａ）において、回転プレート７２は円盤状に形成されており、その一表面（固定プレートに対面する側の面）にスリット部７２１、第１連通窓部７２２、第２連通窓部７２３が形成されている。スリット部７２１は、回転プレート７２の中心から径方向に向かって該回転プレート７２の縁部まで延びた有底溝として形成される。第１及び第２連通窓部７２２、７２３は、回転プレート７２の中心を中心とした扇型状の有底凹部として形成されるものである。スリット部７２１は、洗浄水タンク４３３と洗浄水供給流路９１により連通されており、洗浄水タンク４３３の上流側に配置された電磁弁９２が開くことにより、洗浄水タンク４３３内の洗浄水が洗浄水供給流路９１を経てスリット部７２１に流動するようになっているものである。第１連通窓部７２２は、回転プレート７２と固定プレート７１とが所定の状態で対面している場合において、後述する固定プレート７１の第１出口ポート７１１ａと第１ドレンポート７１５とに対面して第１出口ポート７１１ａと第１ドレンポート７１５とを連通するものである。第２連通窓部７２３は、回転プレート７２と固定プレート７１とが所定の状態で対面している場合において、後述する固定プレート７１の第３出口ポート７１３ａと第１ドレンポート７１５とに対面して第３出口ポート７１３ａと第１ドレンポート７１５とを連通するものである。
【００４６】
図６（ｂ）において、固定プレート７１は、第１連通部７１１、第２連通部７１２、第３連通部７１３、第４連通部７１４、第１ドレンポート７１５、第２ドレンポート７１６、及び、連通孔７１７が形成されている。第１連通部７１１はケース４３８に形成された第１連絡流路７４ａのケース内壁での開口部７４ａ’と対面している。従って、この第１連通部７１１は第１連絡流路７４ａを経て肛門洗浄用主流路５１に連通するものである。第２連通部７１２はケース４３８に形成された第２連絡流路７４ｂのケース内壁での開口部７４ｂ’と対面している。従って、第２連通部７１２は第２連絡流路７４ｂを経て肛門洗浄用副流路５２に連通するものである。第３連通部７１３はケース４３８に形成された第３連絡流路７４ｃのケース内壁での開口部７４ｃ’と対面している。従って、第３連通部７１３は第３連絡流路７４ｃを経てビデ洗浄用流路６１に連通するものである。第４連通部７１４はケース４３８の内壁に形成された第１バイパス流路７４ｆに対面している。この第１バイパス流路７４ｆはその一端が第１連絡流路７４ａの開口部７４ａ’に連絡しているので、第４連通部７１４は第１バイパス流路７４ｆ、第１連絡流路７４ａの開口部７４ａ’を経て第１連通部７１１に連通するものである。第１ドレンポート７１５はケース４３８に形成された第１ドレン流路７４ｄのケース内壁での開口部７４ｄ’と対面している。また第２ドレンポート７１６はケースに形成された第２ドレン流路７４ｅのケース内壁での開口部７４ｅ’と対面している。第１及び第２ドレン流路７４ｄ及び７４ｅはその先が大気に開放されているので、第１及び第２ドレンポート７１５及び７１６は第１及び第２ドレン流路７４ｄ及び７４ｅを経て大気と連通するものである。
【００４７】
図に示すように、第１連通部７１１、第３連通部７１３、第４連通部７１４、第１ドレンポート７１５、及び第２ドレンポート７１６は、固定プレート７１の中心からの距離がほぼ等しい径方向位置に形成されている。これに対し、第２連通部７１２は、これ以外の連通部及びポートよりも、固定プレート７１の中心からの距離が短い径方向位置に形成されている。また、第２連通部７１２と第４連通部７１４は、回転プレート７２のスリット部７２１に双方が対面可能な周方向位置関係とされているものである。
【００４８】
第１連通部７１１は、第１出口ポート７１１ａ及び第１流量調節溝７１１ｂで形成されている。第１出口ポート７１１ａは、固定プレート７１の表裏を貫通した孔で形成されており、この孔状に形成された第１出口ポート７１１ａに肛門洗浄用主流路５１が連通している。第１流量調節溝７１１ｂは第１出口ポート７１１ａに連通しており、図において第１出口ポート７１１ａから反時計回りの周方向に延びて溝状に形成されている。
【００４９】
第２連通部７１２は、第２出口ポート７１２ａ及び第２流量調節溝７１２ｂで形成されている。第２出口ポート７１２ａは、第１出口ポート７１１ａと同様固定プレート７１の表裏を貫通した孔で形成されており、この孔状に形成された第２出口ポート７１２ａに肛門洗浄用副流路５２が連通している。第２流量調節溝７１２ｂは第２出口ポート７１２ａに連通しており、図において第２出口ポート７１２ａから時計回りの周方向に延びて溝状に形成されている。
【００５０】
第３連通部７１３は、第３出口ポート７１３ａ及び第３流量調節溝７１３ｂで形成されている。第３出口ポート７１３ａは、第１出口ポート７１１ａと同様固定プレート７１の表裏を貫通した孔で形成されており、この孔状に形成された第３出口ポート７１３ａにビデ洗浄用流路６１が連通している。第３流量調節溝７１３ｂは第３出口ポート７１３ａに連通しており、図において第３出口ポート７１３ａから時計回りの周方向に延びて溝状に形成されている。
【００５１】
第４連通部７１４は、第４出口ポート７１４ａ及び第４流量調節溝７１４ｂで形成されている。第４出口ポート７１４ａは、第１出口ポート７１１ａと同様固定プレート７１の表裏を貫通した孔で形成されており、この孔状に形成された第４出口ポート７１４ａに第１バイパス流路７４ｆが連通され、さらに第１バイパス流路７４ｆから第１連通部７１１に連通している。第４流量調節溝７１４ｂは第４出口ポート７１４ａに連通しており、図において第４出口ポート７１４ａから時計回りの周方向に延びて溝状に形成さている。
【００５２】
尚、各流量調節溝７１１ｂ、７１２ｂ、７１３ｂ、７１４ｂは、それぞれが連通する各出口ポート７１１ａ、７１２ａ、７１３ａ、７１４ａから遠ざかるに従い、その断面積が小さくなるように、溝高さまたは溝幅が徐々に変化して形成されているものである。
【００５３】
また、固定プレート７１には、連通孔７１７が形成されている。この連通孔７１７は、ケース内壁に形成された第２バイパス流路７４ｇに開口している。第２バイパス流路７４ｇは、その一端が第２ドレン流路７４ｅのケース内壁開口部７４ｅ’に連絡しているので、連通孔７１７は、第２バイパス流路７４ｇ、第２ドレン流路７４ｅを経て大気に連通しているものである。
【００５４】
上記構成において、以下にその作動について、図７を参照して説明する。
【００５５】
図７は、各種の状態におけるロータリバルブ４３８内の固定プレート７１と回転プレート７２との相対配置関係を示したものである。
【００５６】
使用者が本例に示す人体局部洗浄装置１を使用し、用便後に洗浄強さが強い集中的な洗浄を行うためには、操作パネル４５の操作スイッチの内、パワフル洗浄ボタン（図示せず）を押圧する。すると、ロータリバルブ４３８において、モータ７５が駆動するとともにマイクロコンピュータ８によりモータ７５の駆動が制御される。これにより、ロータリバルブ４３８の回転プレート７２が所定角度回転し、固定プレート７１と回転プレート７２は図７（ａ）に示す配置関係となる。その後、洗浄水タンク４３３の上流側に配置された電磁弁９２が開き、水道圧により洗浄水タンク４３３から洗浄水を洗浄水供給路９１に圧送する。図７（ａ）において、回転プレート７２のスリット部７２１は、固定プレート７１の第１連通部７１１のうちの第１出口ポート７１１ａに対面している。この状態であると、洗浄タンク４３３内の洗浄水は、水道圧により圧送されて洗浄水供給路９１を通り、ケース７４に形成された洗浄水供給口７４１からケース７４内に進入する。ケース７４内に進入した洗浄水は、回転プレート７２の縁部にまで形成されたスリット部７２１内を流動する。このときスリット部７２１と固定プレート７１の第１出口ポート７１１ａとは対面しているので、洗浄水はスリット部７２１内から第１出口ポート７１１ａに流動する。そして、洗浄水は第１出口ポート７１１ａからケース７４に形成された第１連絡流路７４ａを流れ、第１連絡流路７４ａが開口した主流路用洗浄水排出口７４２から肛門洗浄用主流路５１に流動するものである。このようにして肛門洗浄用主流路５１に流動した洗浄水は、肛門洗浄用ノズル装置４６の肛門洗浄ノズル４６３に形成された肛門洗浄用主ノズル孔４６１から人体の肛門に噴出され、人体局部を洗浄するものである。尚、この状態では、洗浄水は第１連通部７１１のみを流動し、その他の連通部（第２連通部７１２、第３連通部７１３、第４連通部７１４）からは流動しないので、肛門洗浄用主流路５１のみからの勢いの強い集中的な洗浄を行うことができる。また、スリット部７２１と第１出口ポート７１１ａとが対面している状態から、回転プレートを反時計回りに回転させ、スリット部７２１と第１流量調節溝７１１ｂとを対面させた場合、スリット部７２１を流動する洗浄水は、まず該スリット部７２１に対面する第１流量調節溝７１１ｂに流れ、その後に該第１流量調節溝７１１ｂに連通した第１出口ポート７１１ａに流れる。洗浄水は、この第１流量調節溝７１１ｂにより流路断面積が絞られ、第１出口ポート７１１ａを経て肛門洗浄用主流路５１に流れる洗浄水の流量が減少される。このように、第１流量調節溝７１１ｂは、上記状態において回転プレートの回転に伴い肛門洗浄用主流路５１内を流動する洗浄水の流量を可変させることを可能とする第１流量調節部としての機能を果たすものである。尚、この図７（ａ）に示すような、スリット部７１２と第１出口ポート７１１ａとが対面した状態、及び、スリット部７１２と第１流量調節溝７１１ｂとが対面した状態が、本発明における第１の状態の一例である。
【００５７】
使用者が洗浄強さの強い集中的な洗浄を行った後、この洗浄を終了するためには、操作パネル４５内の停止ボタン（図示せず）を押圧する。すると、洗浄水タンク４３３の上流側に配置された電磁弁９２が閉じ、洗浄水タンク４３３から洗浄水供給路９１への洗浄水の圧送は停止される。これと同時に、ロータリバルブ４３８においては、モータ７５が駆動するとともにマイクロコンピュータ８によりモータ７５の駆動が制御される。これにより、ロータリバルブ４３８の回転プレート７２が所定角度半時計回りに回転し、固定プレート７１と回転プレート７２は図７（ｄ）に示す配置関係となる。図７（ｄ）において、回転プレート７２の第１連通窓部７２２は、第１連通部７１１の第１出口ポート７１１ａ及び第１ドレンポート７１５に部分的に対面している。このため、第１連通部７１１の第１出口ポート７１１ａは第１連通窓部７２２を経て第１ドレンポート７１５と連通状態とされている。また、スリット部７２１は、固定プレート７１の連通孔７１７に対面している状態である。この状態であると、肛門洗浄用主流路５１内及び肛門洗浄用主流路５１につながる肛門洗浄ノズル装置４６の内空間は、第１出口ポート７１１ａから第１連通窓部７２２を経て第１ドレンポート７１５と連通していることになる。このため、肛門洗浄用主流路５１内及び肛門洗浄用主流路５１につながる肛門洗浄ノズル装置４６の内空間に残留した洗浄水は、その残圧により第１出口ポート７１１ａまで逆流し、第１連通窓部７２２を経て第１ドレンポート７１５に流れ込む。そして、第１ドレンポート７１５からケース内の第1ドレン流路７４ｄを流動し、該第１ドレン流路７４ｄから大気へと排出されるものである。
【００５８】
また、この状態であると、回転プレート７２のスリット部７２１は、固定プレート７１の連通孔７１７に対向している。また、連通孔７１７は第２バイパス流路７４ｇに開口し、このバイパス流路７４ｇはケース７４に形成された第２ドレン流路７４ｅのケース内壁開口部７４ｅ’に連絡している。従って、スリット部７２１に連通した洗浄水供給路９１は、スリット部７２１から連通孔７１７、第２バイパス流路７４ｇ、第２ドレン流路７４ｅに連通し、さらに第２ドレン流路７４ｅから大気に連通することになる。このため、洗浄水供給路９１内の残留洗浄水は、その残圧によりスリット部７２１に流れ、さらにスリット部７２１から連通孔７１７、第２バイパス流路７４ｇを経て第２ドレン流路７４ｅに流れ、この第２ドレン流路７４ｅから大気へと排出されるものである。
【００５９】
このように、図７（ｄ）の状態にすることにより、肛門洗浄用主流路５１内及び肛門洗浄用主流路５１内に連通した肛門洗浄ノズル装置４６の内空間の残留水を第１ドレン流路７４ｄからドレン排水として排出することができるとともに、洗浄水供給路９１内の残留水も第２ドレン流路７４ｅから排出することができるものである。尚、図７（ｅ）に示す状態が、本発明における第４の状態に該当する。
【００６０】
また、第１の状態から第４の状態に切り替る際に、回転プレート７２は図７（ａ）に示す第１の状態から半時計回りに回転して第４の状態となる。このため、スリット部７２１と第１出口ポート７１１ａとが対面した状態からスリット部７２１と連通孔７１７とが対面した第４の状態となるまでに、スリット部７２１と第１流量調節溝７１１とが対面した状態を経由する。この状態において、回転プレート７２が半時計回りに回転すると、第１流量調節溝７１１ｂのスリット部７２１との対面部分も徐々に変わるが、第１流量調節溝７１１ｂの断面積は、第１出口ポートから遠ざかって回転プレート７２が半時計方向、つまり、第２流量調節溝７１２ｂに近づく方向に回転するにつれて小さくされているので、この断面積は、回転プレート７２の回転量が増すに従い小さくなる。このため、第１流量調節溝７１１ｂのスリット部７２１との対面部分の断面積も、回転プレート７２の回転量が増すに従い小さくなる。従って、回転プレート７２の回転に伴い第１連通部７１１ｂに連通する肛門洗浄用主流路５１を流れる洗浄水の流量も徐々に少なくなる。その後、第４の状態となり、残留洗浄水を排出するものである。このように、第１の状態から第４の状態に移行する際に、洗浄水の流量を小さくさせ、フェードアウトした状態で第４の状態とするので、肛門洗浄ノズル装置４６からの洗浄水の噴出が停止する直前で洗浄水が強烈に噴出することがなく、洗浄水の停止直前での洗浄水の強烈な噴出により使用者に不快感を与えることはないものである。
【００６１】
使用者が本例に示す人体局部洗浄装置を使用し、用便後に洗浄強さが比較的弱い分散したマイルドな洗浄を行うためには、操作パネル４５の操作スイッチの内、マイルド洗浄ボタン（図示せず）を押圧する。すると、ロータリバルブ４３８において、モータ７５が駆動するとともにマイクロコンピュータ８によりモータ７５の駆動が制御される。これにより、ロータリバルブ４３８の回転プレート７２が所定角度回転し、固定プレート７１と回転プレート７２は図７（ｂ）に示す配置関係となる。その後、洗浄水タンク４３３の上流側に配置された電磁弁９２が開き、水道圧により洗浄水タンク４３３から洗浄水を洗浄水供給路９１に圧送する。図７（ｂ）において、回転プレート７２のスリット部７２１は、固定プレート７１の第２出口ポート７１２ａに対面しているとともに、第４出口ポート７１４ａにも対面している。この状態であると、洗浄タンク４３３内の洗浄水は、水道圧により圧送されて洗浄水供給路９１を通り、ケース７４に形成された洗浄水供給口７４１からケース７４内に進入する。ケース７４内に進入した洗浄水は、回転プレート７２の縁部にまで形成されたスリット部７２１内を流動する。このときスリット部７２１と固定プレート７１の第２出口ポート７１２ａとは対面しているので、洗浄水はスリット部７２１内から第２出口ポート７１２ａに流動する。そして、洗浄水は第２出口ポート７１２ａからケース７４に形成された第２連絡流路７４ｂを流れ、第２連絡流路７４ｂが開口した副流路用洗浄水排出口７４３から肛門洗浄用副流路５２に流動する。このようにして肛門洗浄用副流路５２に流動した洗浄水は、肛門洗浄ノズル装置４６に形成された肛門洗浄用副ノズル孔４６２から人体の肛門に噴出され、人体局部を洗浄するものである。
【００６２】
また、スリット部７２１は固定プレート７１の第４出口ポート７１４ａとも対面しているので、洗浄水はスリット部７２１内から第４出口ポート７１４ａにも流動する。第４出口ポート７１４ａはケース内壁に形成された第１バイパス流路７４ｆにより第１連絡流路７４ａの開口部７４ａ’に連絡しているので、第４出口ポート７１４ａに流動した洗浄水は第１バイパス流路７４ｆを流れ、開口部７４ａ’を経てケース７４に形成された第１連絡流路７４ａを流動する。そして、第１連絡流路７４ａが開口した主流路用洗浄水排出口７４２から肛門洗浄用主流路５１に流動する。このようにして肛門洗浄用主流路５１に流動した洗浄水は、肛門洗浄用ノズル装置４６に形成された肛門洗浄用主ノズル孔４６１から人体の肛門に噴出され、人体局部を洗浄するものである。
【００６３】
このように、図７（ｂ）に示す状態では、肛門洗浄用主ノズル孔４６１及び肛門洗浄用副ノズル孔４６２の双方から洗浄水が噴出される。このため、洗浄水の噴出面積が拡大され、洗浄強さの弱い分散したマイルドな洗浄を行うことができるものである。また、スリット部７２１と第２出口ポート７１２ａ及び第４出口ポート７１４ａとが対面している状態から、回転プレートを時計回りに回転させ、スリット部７２１と第２流量調節溝７１２ｂ及び第４流量調節溝７１４ｂとを対面させた場合、スリット部７２１を流動する洗浄水は、まず該スリット部７２１に対面する第２流量調節溝７１１ｂ及び第４流量調節溝７１４ｂに流れ、その後に第２流量調節溝７１２ｂに連通した第２出口ポート７１２ａ及び第４流量調節溝７１４ｂに連通した第４出口ポート７１４ａに流れる。洗浄水は、第２流量調節溝７１２ｂにより流路断面積が絞られ、第２出口ポート７１２ａを経て肛門洗浄用副流路５２に流れる洗浄水の流量が減少されるとともに、第４流量調節溝７１４ｂにより流路断面積が絞られ、第４出口ポート７１４ａを経て肛門洗浄用主流路５１に流れる洗浄水の流量が減少される。このように、第２流量調節溝７１２ｂは、上記状態において回転プレートの回転に伴い肛門洗浄用副流路５２内を流動する洗浄水の流量を可変させることを可能とする第２流量調節部としての機能を果たすものであり、また第４流量調節溝７１４ｂは、上記状態において回転プレートの回転に伴い肛門洗浄用主流路５１内を流動する洗浄水の流量を可変させることを可能とする第４流量調節部としての機能を果たすものである。尚、この図７（ｂ）に示すような、スリット部７１２と第２出口ポート７１２ａ及び第４出口ポート７１４ａとが対面した状態、及び、スリット部７１２と第２流量調節溝７１２ｂ及び第４流量調節溝７１４ｂとが対面した状態が、本発明における第２の状態の一例である。
【００６４】
使用者が洗浄強さの弱い分散的な洗浄を行った後、この洗浄を終了するためには、本体側操作パネル４５の停止ボタン（図示せず）を押圧する。すると、電磁弁が閉じ、洗浄水タンク４３３から洗浄水供給路９１への洗浄水の圧送を停止する。これと同時に、ロータリバルブ４３８においては、モータ７５が駆動するとともにマイクロコンピュータ８によりモータ７５の駆動が制御される。これにより、ロータリバルブの回転プレートが所定角度時計回りに回転し、固定プレートと回転プレートは前述した図７（ｄ）に示す配置関係となり、肛門洗浄用主流路５１内及び洗浄水供給流路９１内の残留洗浄水が排出される。また、肛門洗浄用副流路５２内の残留洗浄水は、肛門洗浄用ノズルと肛門洗浄用シリンダとの隙間より外部に排出される。
【００６５】
このように、図７（ｄ）の状態にすることにより、肛門洗浄用主流路５１内及び肛門洗浄用主流路５１内に連通した肛門洗浄ノズル装置４６の内空間の残留水及び、肛門洗浄用副流路５２内及び肛門洗浄用副流路５２内に連通した肛門洗浄ノズル装置４６の内空間の残留水をドレン排水として排出することができるとともに、洗浄水供給路９１内の残留水も排出することができるものである。
【００６６】
また、第２の状態から第４の状態に切り替る際に、回転プレート７２は図７（ｂ）に示す第２の状態から半時計回りに回転して第４の状態となる。このため、スリット部７２１と第２及び第４出口ポート７１２ａ及び７１４ａとが対面した状態からスリット部７２１と連通孔７１７とが対面した第４の状態となるまでに、スリット部７２１と第２及び第４流量調節溝７１２ｂ及び７１４ｂとが対面した状態を経由する。この状態において、回転プレート７２が時計回りに回転すると、第２及び第４流量調節溝７１２ｂ及び７１４ｂのスリット部７２１との対面部分も徐々に変わるが、第２及び第４流量調節溝７１２ｂ及び７１４ｂの断面積は、第１出口ポート７１２ａ及び第４出口ポート７１４ａから遠ざかって回転プレート７２が時計方向、つまり、第１流量調節溝７１１ｂに近づく方向に回転するにつれて小さくされているので、これらの断面積は、回転プレート７２の回転量が増すに従いそれぞれ小さくなる。このため、第２及び第４流量調節溝７１２ｂ及び７１４ｂのスリット部７２１との対面部分の断面積も、回転プレート７２の回転量が増すに従いそれぞれ小さくなる。従って、回転プレート７２の回転に伴い第２連通部７１２に連通する肛門洗浄用副流路５２及び第４連通部７１４に第１バイパス流路７４ｆを介して連通する肛門洗浄用主流路５１をそれぞれ流れる洗浄水の流量も徐々に少なくなる。その後、第４の状態となり、残留洗浄水を排出するものである。このように、第２の状態から第４の状態に移行する際に、洗浄水の流量を小さくさせ、フェードアウトした状態で第４の状態とするので、肛門洗浄ノズル装置４６からの洗浄水の噴出が停止する直前で洗浄水が強烈に噴出することがなく、洗浄水の停止直前での洗浄水の強烈な噴出により使用者に不快感を与えることはないものである。
【００６７】
使用者が本例に示す人体局部洗浄装置１を使用し、女性局部の洗浄を行うためには、操作パネル４５の操作スイッチの内、ビデ洗浄ボタン（図示せず）を押圧する。すると、ロータリバルブ４３８において、モータ７５が駆動するとともにマイクロコンピュータ８によりモータ７５の駆動が制御される。これにより、ロータリバルブ４３８の回転プレート７２が所定角度回転し、固定プレート７１と回転プレート７２は図７（ｃ）に示す配置関係となる。その後、洗浄水タンク４３３の上流側に配置された電磁弁９２が開き、水道圧により洗浄水タンク４３３から洗浄水を洗浄水供給路９１に圧送する。図７（ｃ）において、回転プレート７２のスリット部７２１は、固定プレート７１の第３出口ポート７１３ａに対面している。この状態であると、洗浄タンク４３３内の洗浄水は、水道圧により圧送されて洗浄水供給路９１を通り、ケース７４に形成された洗浄水供給口７４１からケース７４内に進入する。ケース７４内に進入した洗浄水は、回転プレート７２の縁部にまで形成されたスリット部７２１内を流動する。このときスリット部７２１と固定プレート７１の第３出口ポート７１３ａとは対面しているので、洗浄水はスリット部７２１内から第３出口ポート７１３ａに流動する。そして、洗浄水は第３出口ポート７１３ａからケース７４に形成された第３連絡流路７４ｃを流れ、第３連絡流路７４ｃが開口したビデ用洗浄水排出口７４４からビデ洗浄用流路６１に流動するものである。このようにしてビデ洗浄用流路６１に流動した洗浄水は、ビデ洗浄用ノズル装置４７に形成されたビデ洗浄ノズル孔４７１から女性局部に噴出され、女性局部を洗浄するものである。また、スリット部７２１と第３出口ポート７１３ａとが対面している状態から、回転プレート７２を時計回りに回転させ、スリット部７２１と第３流量調節溝７１３ｂとを対面させた場合、スリット部７２１を流動する洗浄水は、まず該スリット部７２１に対面する第３流量調節溝７１３ｂに流れ、その後に該第３流量調節溝７１３ｂに連通した第３出口ポート７１３ａに流れる。洗浄水は、この第３流量調節溝７１３ｂにより流路断面積が絞られ、第３出口ポート７１３ａを経てビデ洗浄用流路６１に流れる洗浄水の流量が減少される。このように、第３流量調節溝７１３ｂは、上記状態において回転プレート７２の回転に伴いビデ洗浄用流路６１内を流動する洗浄水の流量を可変させることを可能とする第３流量調節部としての機能を果たすものである。尚、この図７（ｃ）に示すような、スリット部７１２と第３出口ポート７１３ａとが対面した状態、及び、スリット部７１２と第３流量調節溝７１３ｂとが対面した状態が、本発明における第３の状態の一例である。
【００６８】
使用者がビデ洗浄を行った後、この洗浄を終了するためには、本体側操作パネル４５内の停止ボタン（図示せず）を押圧する。すると、電磁弁が閉じ、洗浄水タンク４３３から洗浄水供給路９１への洗浄水の圧送が停止される。これと同時に、ロータリバルブ４３８においては、モータ７５が駆動するとともにマイクロコンピュータ８によりモータ７５の駆動が制御される。これにより、ロータリバルブ４３８の回転プレート７２が所定角度時計回りに回転し、固定プレート７１と回転プレート７２は図７（ｅ）に示す配置関係となる。図７（ｅ）において、回転プレート７２のスリット部７２１は、第２ドレンポート７１６に対面している。第２ドレンポート７１６は、ケース７４に形成された第２ドレン流路７４ｅに連絡している。従って、スリット部７２１に連通した洗浄水供給路９１は、スリット部７２１から第２ドレンポート７１６、第２ドレン流路７４ｅに連通し、大気に連通する。従って、洗浄水供給路９１内の残留洗浄水は、その残圧によりスリット部７２１に流れ、さらにスリット部７２１から第２ドレンポート７１６、第２ドレン流路７４ｅを流動し、大気へと排出されるものである。
【００６９】
また、回転プレート７２の第２連通窓７２３は、第３連通部７１３の第３出口ポート７１３ａ及び第１ドレンポート７１５に対面している。このため、第３出口ポート７１３ａは第２連通窓７２３を経て第１ドレンポート７１５と連通状態とされている。この状態であると、ビデ洗浄用流路６１内及びビデ洗浄用流路６１につながるビデ洗浄ノズル装置４７の内空間は、第３出口ポート７１３ａから第２連通窓７２３を経て第１ドレンポート７１５と連通していることになる。このため、ビデ洗浄用流路６１内及びビデ洗浄用流路６１につながるビデ洗浄ノズル装置４７の内空間の残留水は、その残圧により第３連絡流路７４ｃを経て第３出口ポート７１３ａまで逆流し、第２連通窓７２３を経て第１ドレンポート７１５に流れ込む。そして、第１ドレンポート７１５からケース７４内の第1ドレン流路７４ｄを流動し、大気へと排出されるものである。尚、この状態が本発明における第５の状態である。
【００７０】
また、第３の状態から第５の状態に切り替る際に、回転プレート７２は図７（ｃ）に示す第３の状態から時計回りに回転して第５の状態となる。このため、スリット部７２１と第３出口ポート７１３ａとが対面した状態からスリット部７２１と第２ドレンポート７１６とが対面した第５の状態となるまでに、スリット部７２１と第３流量調節溝７１３ｂとが対面した状態を経由する。この状態において、回転プレート７２が時計回りに回転すると、第３流量調節溝７１３ｂのスリット部７２１との対面部分も徐々に変わるが、第３流量調節溝７１３ｂの断面積は、第３出口ポート７１３ａから遠ざかって回転プレート７２が時計方向に回転するにつれて小さくされているので、この断面積は、回転プレート７２の回転量が増すに従い小さくなる。このため、第３流量調節溝７１３ｂのスリット部７２１との対面部分の断面積も、回転プレート７２の回転量が増すに従い小さくなる。従って、回転プレート７２の回転に伴い第３連通部７１３に連通するビデ洗浄用流路６１を流れる洗浄水の流量も徐々に少なくなる。その後、第５の状態となり、残留洗浄水を排出するものである。このように、第３の状態から第５の状態に移行する際に、洗浄水の流量を小さくさせ、フェードアウトした状態で第５の状態とするので、ビデ洗浄ノズル装置４７からの洗浄水の噴出が停止する直前で洗浄水が強烈に噴出することがなく、洗浄水の停止直前での洗浄水の強烈な噴出により使用者に不快感を与えることはないものである。
【００７１】
以上のように、人体局部を洗浄する際に、洗浄強さの強い集中的な洗浄を行うときは第１の状態（図７（ａ）の状態）となるように、この洗浄を終了させるときは第４の状態（図７（ｄ）の状態）となるように、また、洗浄強さの弱い分散的な洗浄を行うときは、第２の状態（図７（ｂ）の状態）となるように、この洗浄を終了させるときは第４の状態（図７（ｄ）の状態）となるように、女性局部の洗浄を行うときは、第３の状態（図７（ｃ）の状態）となるように、この洗浄を終了させるときは第５の状態（図７（ｅ）の状態）となるようにモータ７５の駆動を制御して回転プレート７２の回転、つまりロータリバルブ４３８の切替動作を制御するものである。
【００７２】
以上のように、本例の人体局部洗浄装置１は、人体局部を洗浄するための洗浄手段としての肛門洗浄ノズル装置４６及びビデ洗浄ノズル装置４７と、肛門洗浄ノズル装置４６に連通した第１の流路としての肛門洗浄用主流路５１、第２の流路としての肛門洗浄用副流路５２、及び、ビデ洗浄ノズル装置４７に連通したビデ洗浄用流路６１と、人体局部を洗浄する洗浄水が貯えられる洗浄水タンク４３３と、洗浄水タンクに連通した洗浄水供給流路９１と、固定プレート７１及び該固定プレート７１に対して回転可能に取り付けられた１枚の回転プレート７２を有する流路切替手段としてのロータリバルブ４３８と、回転プレート７２の回転を制御する制御手段としてのマイクロコンピュータ８を具備する。また、固定プレート７２は、肛門洗浄用主流路５１に連通する第１連通部７１１、肛門洗浄用副流路５２に連通する第２連通部７１２、ビデ洗浄用流路６１に連通する第３連通部７１３、及び大気に連通する第１ドレンポート７１５が形成されており、回転プレート７２は、洗浄水タンク４３３から供給される洗浄水が流動するスリット部７２１及び、第１連通部７１１と第１ドレンポート７１５とを連通可能な第１連通窓部７２２並びに第３連通部７１３と第１ドレンポート７１５とを連通可能な第２連通窓部７２３が形成されている。そして、マイクロコンピュータ８は、スリット部７２１と第１連通部７１１とを対面させてスリット部７２１を流動する洗浄水を第１連通部７１１に流動させる第１の状態、スリット部７２１と第２連通部７２２とを対面させて洗浄水を第２連通部７２２に流動させる第２の状態、スリット部７２１と第３連通部７１３とを対面させて洗浄水を第３連通部７１３に流動させる第３の状態、第１連通窓部７２２により第１連通部７１１と第１ドレンポート７１５とを連通させた第４の状態、第２連通窓部７２３により第３連通部７１３と第１ドレンポート７１５とを連通させた第５の状態とを選択的に取り得るように、モータ７５の駆動を制御して回転プレート７２の回転を制御するものである。
【００７３】
このため、第１の状態では、洗浄水タンク４３３から供給され回転プレート７２のスリット部７２１を流動する洗浄水は、該スリット部７２１と対面した固定プレート７１の第１連通部７１１に流動し、この第１連通部７１１から該第１連通部７１１に連通した肛門洗浄用主流路５１に流動する。これにより主流路５１から人体の肛門への洗浄が可能となる。また、第２の状態では、洗浄水は、スリット部７２１から該スリット部７２１と対面した固定プレート７１の第２連通部７１２に流動し、この第２連通部７１２から該第２連通部７１２に連通した肛門洗浄用副流路５２に流動する。これにより副流路５２から人体の肛門への洗浄が可能となる。また、第３の状態では、洗浄水は、スリット部７２１から該スリット部７２１と対面した固定プレート７１の第３連通部７１３に流動し、この第３連通部７１３から該第３連通部７１３に連通したビデ洗浄用流路６１に流動する。これによりビデ洗浄用流路６１からの女性局部への洗浄が可能となる。このように、本発明では、１枚の回転プレート７２で３流路の切替が可能となるものである。
【００７４】
また、第４の状態では、回転プレート７２に形成された第１連通窓部７２２により固定プレート７２の第１連通部７１１と第１ドレンポート７１５とが連通される。このため、第１連通部に連通した肛門洗浄用主流路５１内の残留水が第１連通窓部７２２を経て第１ドレンポート７１５に流れ、さらに第１ドレンポート７１５から第１ドレン流路７４ｄを経て大気に排出される。従って、肛門洗浄用主流路５１内の水圧は、第１ドレンポート７１５から残留水が排出されることにより減少し、肛門洗浄用主流路５１内の残留洗浄水の水圧により洗浄ノズル等の動作に悪影響を与えたり、肛門洗浄用ノズルから残留水が噴出することを防止することができるものである。
【００７５】
また、第５の状態では、回転プレート７２に形成された第２連通窓部７２３により固定プレート７１の第３連通部７１３と第１ドレンポート７１５とが連通される。このため、第３連通部７１３に連通したビデ洗浄用流路６１内の残留水が第２連通窓部７２３を経て第１ドレンポート７１５に流れ、さらに第１ドレンポート７１５から第１ドレン流路７４ｄを経て大気に排出されるものである。従って、ビデ洗浄用流路６１内の水圧は、第１ドレンポート７１５から残留水が排出されることにより減少し、ビデ洗浄用流路６１内の残留洗浄水の水圧により洗浄ノズル等の動作に悪影響を与えたり、ビデ洗浄用ノズルから残留水が噴出することを防止することができるものである。
【００７６】
このように、本例によれば、１枚の回転プレート７２を使用するのみで、肛門洗浄用主流路５１、肛門洗浄用副流路５２、ビデ洗浄用流路６１の各流路への線上水の切替を可能としているので、回転プレート７２が複数枚必要となることはなく、ロータリバルブ４３８をコンパクトに構成することができるものである。また、肛門洗浄用主流路５１内及びビデ洗浄用流路６１内の残留水がドレンポートから大気に排出されるので、これらの流路内の残留洗浄水の水圧を減少させることができ、流路内残圧による洗浄ノズルの動作への悪影響、ノズルからの残留水の噴出等の不具合を防止することができるものである。
【００７７】
また、固定プレート７１には第１連通部７１１に連通した第４連通部７１４が形成され、第２の状態においてスリット部７２１と第４連通部７１４とが対面する。このため、第２の状態では、洗浄水タンク４３３から供給され回転プレート７２のスリット部７２１を流動する洗浄水は、スリット部７２１から該スリット部７２１と対面した固定プレート７１の第２連通部７１２及び第４連通部７１４に流動し、さらに第２連通部７１２からは該第２連通部７１２に連通した肛門洗浄用副流路５２に流動する。一方、第４連通部は第１連通部と連通しており、この第１連通部は肛門洗浄用主流路５１に連通しているので、第４連通部を流れる洗浄水は、第４連通部７１４から肛門洗浄用主流路５１にも流動する。このようにして、肛門洗浄用ノズルの主流路のみならず、副流路からも洗浄水が噴出するので、洗浄水の噴出面積が増加して分散的でやさしい体感が得られる洗浄パターンとすることができるものである。
【００７８】
従って、第１の状態では洗浄水が主流路５１のみから噴出する比較的勢いの強い集中洗浄を、第２の状態では洗浄水が主流路５１及び副流路５２の両方から噴出する比較的ソフトな分散洗浄を行うことができ、マイクロコンピュータ８によってこれらの洗浄パターンを切替えることが可能となるものである。
【００７９】
また、ロータリバルブ４３８は固定プレート７１及び回転プレート７２を収納するケース７４を備え、第４連通部７１４はケース７４の内壁に形成された第１バイパス流路７４ｆにより第１連通部７１１に連通されている。このようにケース内壁に形成された第１バイパス流路７４ｆで第４連通部７１４と第１連通部７１１を連通することで、ケース外部に連絡流路を設ける構成よりもコンパクトに構成することができるものである。
【００８０】
また、固定プレート７１には大気に連通した第２ドレンポート７１６及び第２ドレンポート７１６に連通する連通孔７１７が形成されており、第４の状態において連通孔７１７はスリット部７２１に対面されている。このため、スリット部７２１は、連通孔７１７から第２ドレンポート７１６に連通することとなる。従って、スリット部７２１に連通している洗浄水タンク側からの洗浄水の残留水が、スリット部７２１から連通孔７１７、第２ドレンポート７１６を流れ、さらに第２ドレンポート７１６が連通する第２ドレン流路７４ｅから大気に排出される、つまり、洗浄タンク側の残留洗浄水も排出することができるものである。
【００８１】
また、第２ドレンポート７１６は、ケース７４の内壁に形成された第２バイパス流路７４ｇにより連通孔７１７に連通している。このようにケース内壁に形成された第２バイパス流路７４ｇで第２ドレンポート７１６と連通孔７１７を連通することで、ケース外部に連絡流路を設ける構成よりもコンパクトに構成することができるものである。
【００８２】
また、第１連通部７１１は、肛門洗浄用主流路５１に連通する第１出口ポート７１１ａ及び第１の状態において回転プレート７２の回転に伴い肛門洗浄用主流路５１を流動する洗浄水の流量を変化させる第１流量調節部としての第１流量調節溝７１１ｂとを備え、第２連通部７１２は、肛門洗浄用副流路５２に連通する第２出口ポート７１２ａ及び第２の状態において回転プレート７２の回転に伴い肛門洗浄用副流路５２を流動する洗浄水の流量を変化させる第２流量調節部としての第２流量調節溝７１２ｂを備え、第３連通部７１３は、ビデ洗浄用流路６１と連通する第３出口ポート７１３ａ及び第３の状態において回転プレート７２の回転に伴いビデ洗浄用流路６１を流動する洗浄水の流量を変化させる第３流量調節部としての第３流量調節溝７１３ｂを備え、第４連通部７１４は、第１バイパス流路７４ｆと連通する第４出口ポート７１４ａ及び第２の状態において回転プレート７２の回転に伴い第１バイパス流路７４ｆを流動する洗浄水の流量を変化させる第4流量調節部としての第4流量調節溝７１４ｂを備える。このため、各状態（第１の状態、第２の状態、第３の状態）において、回転プレート７２を回転させるという簡単な動作により各流路（第１の流路、第２の流路、第３の流路）を流動する洗浄水の流量を変化させることができるものである。従って、第１、第２、第３の各状態において回転プレート７２を回転させることにより洗浄水の流量が調節可能となり、使用者の好みに応じた洗浄を行うことができるものである。
【００８３】
また、第１流量調節溝７１１ｂは、第１出口ポート７１１ａから周方向、つまり回転プレート７２の回転方向に沿って遠ざかるに従いその断面積が小さくされ、同様に、第２流量調節溝７１２ｂは、第２出口ポート７１２ａから回転プレート７２の回転方向に沿って遠ざかるに従いその断面積が小さくされ、第３流量調節溝７１３ｂは、第３出口ポート７１３ａから回転プレート７２の回転方向に沿って遠ざかるに従いその断面積が小さくされ、第４流量調節溝７１４ｂは、第４出口ポート７１４ａから回転プレート７２の回転方向に沿って遠ざかるに従いその断面積が小さくされている。
【００８４】
このため、第１連通部７１１とスリット部７２１が対面する第１の状態から、連通孔７１７とスリット部７２１が対面する第４の状態に移る際に、第１流量調節溝７１１ｂのスリット部７２１と対面する部分の断面積は、回転プレート７２の回転量が増すに従い小さくなり、第１連通部７１１と連通する肛門洗浄用主流路５１の流路を流れる洗浄水の流量も徐々に少なくなる。その後、第４の状態となり、肛門洗浄用主流路５１内の残留洗浄水は第１ドレンポート７１５を経て第１ドレン流路７４ｄから排出されるとともに、洗浄水供給流路９１内の残留水は連通孔７１７、第２ドレンポート７１６を経て第２ドレン流路７４ｅから排出される。このように第１の状態において洗浄水の流量がフェードアウトした後に第４の状態となり、残留水が排出される。同様に、第２連通部７１２及び第４連通部７１４とスリット部７２１が対面する第２の状態から第４の状態に移る際に、第２流量調節溝７１２ｂ及び第４流量調節溝７１４ｂのスリット部７２１と対面する部分の断面積は、回転プレート７２の回転量が増すに従い小さくなり、第２連通部７１２と連通する肛門洗浄用副流路第２及び第４連通部７１４と第１バイパス流路７４ｆを経て連通する肛門洗浄用主流路５１の流路を流れる洗浄水の流量も徐々に少なくなる。その後、第４の状態となり、肛門洗浄用主流路５１内及び洗浄水供給流路９１内の残留洗浄水が排出される。このように、洗浄状態である第１の状態、第２の状態からドレン状態である第４の状態に移行する際に、洗浄水の流量を小さくさせ、フェードアウトした状態でドレン状態とするので、ノズル装置４６からの洗浄水の噴出が停止する直前でも洗浄水が強烈に噴出することもなく、使用者に不快感を与えることもないものである。
【００８５】
また、第３流量調節溝７１３ｂは回転プレート７２の回転方向に沿って第３出口ポートから遠ざかり第２ドレンポート７１６に近づくに従いその断面積が小さくされているので、第３連通部７１３とスリット部７２１が対面する第３の状態から、第２ドレンポート７１６とスリット部７２１が対面する第５の状態に移る際に、第３流量調節溝７１３ｂのスリット部７２１と対面する部分の断面積は、回転プレート７２の回転量が増すに従い小さくなり、第３連通部７１３と連通するビデ洗浄用主流路６１の流路を流れる洗浄水の流量も徐々に少なくなる。その後、第５の状態となり、スリット部７２１に連通する洗浄水供給流路９１内の残留洗浄水は第２ドレンポート７１６を経て第２ドレン流路７４ｅから排出される。このように、洗浄状態である第３の状態からドレン状態である第５の状態に移行する際に、洗浄水の流量を小さくさせ、フェードアウトした状態でドレン状態とするので、ノズル装置４７からの洗浄水の噴出が停止する直前でも洗浄水が強烈に噴出することもなく、使用者に不快感を与えることもないものである。
【００８６】
【発明の効果】
以上説明したように、本発明によれば、人体局部洗浄装置において、洗浄水の供給路と上記各流路との連通を切替える流路切替手段をコンパクトに構成するとともに、洗浄後の各流路内の残圧を除去可能として使用者に不快感を与えない構成とすることができるものである。
【図面の簡単な説明】
【図１】本発明の実施の形態における、人体局部洗浄装置の全体斜視図である。
【図２】本発明の実施の形態における、本体及び本体内の機能部を示す図である。
【図３】本発明の実施の形態における、ケース、肛門洗浄ノズル装置、ビデ洗浄ノズル装置の外観及び部分断面図であり、またこれらの接続構成を示す図である。
【図４】図３において、ロータリバルブを図示矢印Ａ方向から見た場合の部分断面図である。
【図５】図４におけるＢ−Ｂ断面図であり、本発明の実施の形態における、ケースの内壁面の構造を示す図である。
【図６】本発明の実施の形態における、可動プレート及び固定プレートの構成を示す正面図であり、図６（ａ）が可動プレートを、図６（ｂ）が固定プレートを示す。
【図７】本発明の実施の形態における、固定プレートと可動プレートとの相対的位置関係を示す図であり、図７（ａ）が第１の状態、図７（ｂ）が第２の状態、図７（ｃ）が第３の状態、図７（ｄ）が第４の状態、図７（ｅ）が第５の状態を示す。
【図８】従来技術における、肛門洗浄ノズルの断面図である。
【符号の説明】
１・・・人体局部洗浄装置
２・・・便器
４・・・本体
４１・・・便座
４２・・・便蓋
４３・・・機能部
４３２・・・コントロール基板、４３３・・・洗浄水タンク、４３８・・・流路切替手段
４４・・・ケース
４５・・・操作パネル
４６・・・肛門洗浄ノズル装置
４６１・・・肛門洗浄主ノズル孔、４６２・・・肛門洗浄副ノズル孔
４７・・・ビデ洗浄ノズル装置
４７１・・・ビデ洗浄ノズル孔
５１・・・肛門洗浄用主流路（第１の流路）
５２・・・肛門洗浄用副流路（第２の流路）
６１・・・ビデ洗浄用流路（第３の流路）
７１・・・固定プレート
７１１・・・第１連通部
７１１ａ・・・第１出口ポート、７１１ｂ・・・第１流量調節溝（第１流量調節部）
７１２・・・第２連通部
７１２ａ・・・第２出口ポート、７１２ｂ・・・第２流量調節溝（第２流量調節部）
７１３・・・第３連通部
７１３ａ・・・第３出口ポート、７１３ｂ・・・第３流量調節溝（第３流量調節部）
７１４・・・第４連通部
７１４ａ・・・第４出口ポート、７１４ｂ・・・第４流量調節溝（第４流量調節部）
７１５・・・第１ドレンポート、７１６・・・第２ドレンポート、７１７・・・連通孔
７２・・・回転プレート
７２１・・・スリット部、７２２・・・第１連通窓部、７２３・・・第２連通窓部
７４・・・ケース
７４ａ・・・第１連絡流路、７４ｂ・・・第２連絡流路、７４ｃ・・・第３連絡流路、７４ｄ・・・第１ドレン流路、７４ｅ・・・第２ドレン流路、７４ｆ・・・第１バイパス流路（バイパス流路）、７４ｇ・・・第２バイパス流路
７５・・・モータ
８・・・マイクロコンピュータ（制御手段）
９１・・・洗浄水供給流路
【図１】
0004103176.tif 000002
【図２】
0004103176.tif 000003
【図３】
0004103176.tif 000004
【図４】
0004103176.tif 000005
【図５】
0004103176.tif 000006
【図６】
0004103176.tif 000007
【図７】
0004103176.tif 000008
【図８】
0004103176.tif 000009